(57)【特許請求の範囲】
【請求項１】
壁（３）を突き抜け、一端が部屋の内部（Ｉ）に、他端が外部（Ｅ）に通じるダクト（４）を通して空気の取入れが行われ、前記ダクト（４）の一端が空気取入口（５）を備えた壁の内側の方に位置している、部屋の換気装置の空気取入用の格子において、
前記ダクト（４）の内側に取付けられる前記格子が、少なくとも部分的に弾性変形可能である円形部分（６）を含む本体を有し、前記円形体（６）の外径がダクト（４）の内径と一致し、前記本体が、格子を形成する穴あき面（９）を備え、そして把手（１０）の取付けられている部屋の内側に向う側へのびていることを特徴とする格子。
【請求項２】
前記本体の円形部分（６）が、半径方向に弾性変形可能な脚（７）を含んでいることを特徴とする請求項１に記載の格子。
【請求項３】
格子を形成する穴あき面（９）が外側から内側に向って収束する一つの傾斜面、または幾つかの平面もしくは曲面を含んでおり、部屋の内部（Ｉ）の方へ向けられた前記本体の端部に把手（１０）を備えていることを特徴とする請求項１または２に記載の格子。
【請求項４】
格子が、収束する二つの平面から成る格子を形成する穴あき面（９）を含んでおり、前記二つの平面が一方では前記円形部分（６）に結合され、他方では長手方向にのびしかも把手（１０）の位置で前記二つの平面が一線となって結合する前記本体の二つの長手部材（８）に結合されていることを特徴とする請求項３に記載の格子。
【請求項５】
格子が合成材料から作られ、一体品として成形することにより得られることを特徴とする請求項１〜４のいずれか一項に記載の格子。
【発明の詳細な説明】
【０００１】
【発明の属する技術分野】
本発明は部屋の換気装置の空気取入用格子を目的としている。
【０００２】
【従来の技術】
室内を衛生上良好な状態に維持するため、特に構造物材料や家具に損害を与える湿気の過剰を回避するため、室内の空気を入れ替える考え方から、室内換気を行うのが常である。
【０００３】
住宅の部屋又は商業用の部屋のような部屋の換気はしばしば衛生室又は台所のような技術的な部屋において換気を行う換気装置を含む機械的制御式換気の助けにより行われ、そのような技術的な部屋での抽気は貯留室の中に空気を受け入れることにより補償される。この空気の受け入れは、近頃考案された部屋に関しては、窓枠の中に仕掛けられた空気入口から行われる。換気システムなしに行われるより古い作りの部屋のためには、他の手段により空気を受け入れるのがふさわしい。一つの解は、空気取入ダクトを形成するため、部屋と外部との間に穴を設けることにより構成される。このダクトは空気取入口と呼ばれる装置として部屋の内側に設けられ、その際に通路の断面は特に部屋の内外の圧力差、室内湿度、温度その他の関数として変化させることができる。そのような場合、蚊その他の昆虫の通過を回避するよう意図された格子を備えたひさしを外部の方に向けたダクトの先端に設置することが知られている。平らでダクトに直角なこの格子は建物の外側に正面を向けて固定されている。部屋の内側に向かう圧力損失とその格子を通過して部屋の外側から内側に向かって発生する空気の循環を考慮すれば、環境汚染により特に都市環境において格子は急速に目詰まりしていくことは全く明白である。もしその格子が一階にあれば、そこに接近することは可能である。もしその格子が二階以上にあれば、それがバルコニーのレベルにあるなら別として、そこへは接近できない。その結果として、多くの場合、格子は清掃を行うため取り外すことができず、部屋の中へ空気を受け入れることが全く不備であることになる。
【０００４】
【発明が解決すべき課題】
本発明の目的は、そのような空気の取入れ設備において、効果的で迅速な方法でメンテナンスを実施することができる格子を提供することである。
【０００５】
【課題を解決するための手段】
その結果、ダクトの内側に設置されるようにした本発明に関する格子は、ダクトの内径に一致する外径を持つ、少なくとも部分的に弾性変形可能な円形体であることを必要とし、その円形体は格子を形成する穴あき部分を備えており、そして部屋の内側の方に向けられた側に延び出して把手を備えている。
【０００６】
その構造を考慮すれば、その格子は空気取入口を引き出した後に、部屋の内側から空気取入れダクトの中にはめ込むことができる。格子の固定はダクトの内面に対してしっかりと支えられるよう、円形体の弾性変形ゾーンを利用して、ダクトの内面上で行う。格子が目詰まりした時、操作者は空気取入口を取り外すが、それは非常に容易に行われる。この場合、格子に直接接近して、把手を使って部屋の内側の方へ格子を滑動させてダクトから取出すことができる。格子を取り出すと、清掃をし、その後逆の手順で元の状態に戻して処理を行うことが可能である。
【０００７】
【発明の実施の形態】
この格子の一実施例によれば、円形体は半径方向に弾性変形可能な脚を備えている。円形体が変形不可能であっても、ほとんど変形不可能であっても、ダクト内部への固定は弾性脚により行うことができる。
【０００８】
この格子の一実施例によれば、格子を形成する穴あき部分は、外側から内側に向かって傾斜して収束する一つの回転面、または、いくつかの平面もしくは曲面を含んでおり、円形体の端部は部屋の内部の方へ向けられ、把手を備えている。この格子の一般形状は、穴あき部分がダクト軸に直角である場合に関して、穴あき部分の面を増大するのを可能にする。そのことは、圧力損失の減少、そしてダクト軸に垂直な濾過体を有する格子はより遅く目詰まりするという理由で干渉の数の制限をもたらす。
【０００９】
後者の場合の実施態様に従えば、格子は、収束する二つの平面から成る格子を形成する穴あき部分を含んでおり、前記二つの面の一方は円形体の方に、他方は、長手方向に延び、そして把手の位置で前記二つの面が一線となって結合する二つの長手部材の方に結合する。
【００１０】
好都合にも、そのような形状の場合においては、格子は合成材料により作られ、そして一体品として成形されて得られる。
【００１１】
ともかく、本発明は、この格子の実施態様を非制限例として示す参照用添付図面を伴って説明する以下の文により十分理解されるであろう。
【００１２】
図１に詳細に示す本発明の格子２は壁３により外部Ｅから隔離された部屋の内部１の空気取入口と組み合わされるよう運命づけられている。壁３においては部屋の内部１と外部Ｅとを連通するダクト４が設けられている。部屋の内部にはダクト４の正面に空気取入口５が設けられている。格子２はダクト４の外端側からダクト４の内側に収納されるように運命づけられている。
【００１３】
図示の格子は合成材料で作られ、一体品として成形して得られる。この格子はダクト４の内径と一致する外径を持つ円形体６を持つ本体を含んでいる。この円形体６のレベルにおいて、二つの軸方向の裂目により本体から分かれ、そして円形体６に対してわずか外側へ向いた、円周上対称位置に二つの弾性脚７が設けられている。円形体６は直径を対称軸とした、曲面を持つ二つの長手部材８につながり前方へ延び出している。円形体６と二つの長手部材８との間には格子を形成する二つの穴あき面９が取り付けられている。この二つの穴あき面は円形体６に対して向かい合った側から収束し、長手部材８の前方端で結合している。格子を形成する二つの穴あき面の前方においては、長手部材８は把手を形成する中央穴１２を持つ一枚のプレート１０に結合している。
【００１４】
図２及び図３に示すように、格子２は、円形体６がダクト４の外端付近に位置し、把手１０が部屋の内部１へ通じる側のダクト内に位置するようにダクトの内側に設けられている。
【００１５】
したがって、空気取入口５の取外しの後に、格子の取付けと取外しは、格子の固定が単純な弾性摩擦により実施され、その格子の操作が把手１０を手で作動させることにより実施されるので、工具の使用なしに大変容易に行うことができる。そのため、この格子は周期的に清掃するため大変容易に取外しができる。加えて、そして図面から明らかなように、格子の形状は、穴あき面がダクトの軸に垂直である場合に関して、穴あき面が増大するのを可能にし、それは一方では圧力損失を制限し、他方では格子の次の清掃までの期間を長くすることができる。
【００１６】
いうまでもなく、本発明は例として上に述べたこの格子の実施例のみに限定されるものではなく、それどころか、変形のすべてを包含するものである。とりわけ、穴あき面の形状は種々考えられるが、だからといってその穴あき面は発明の範囲をはみ出すことなく、円錐形またはダクト軸に垂直である唯一つのものに帰すことができる。
【図面の簡単な説明】
【図１】  図１は本発明品の斜視図である。
【図２】  図２は室内の空気取入れダクトの内側に取り付けた位置を示す長手方向断面図である。
【図３】  図３は図２におけるIII−III線で切って示した断面図である。
【符号の説明】
１…内部
２…格子
３…壁
４…ダクト
５…空気取入口
６…円形体
７…弾性脚
８…長手部材
９…穴あき面
10…プレート
【図１】
0004711500.tif 000002
【図２】
0004711500.tif 000003
【図３】
0004711500.tif 000004